(57)【要約】【課題】空気調和機本体の分解や半田付け作業を伴うことなく、空気調和機の保持する情報の読み出しや書き込み・更新を可能にする。【解決手段】空気調和機の室内機５と室外機６の間に空気調和機データ交換装置１を接続し、片側から送信されてきた信号を、そのままあるいは変更を加えてもう片方に送信し、その情報を表示手段に表示することにより、空気調和機の運転状態や故障履歴等の情報を読み出したり、室内機５および室外機６が保持するデータを更新することが可能となる。【選択図】図１
2006138518.tif 000002
【特許請求の範囲】
【請求項１】
分離型空気調和機の室内機と室外機を接続する内外接続線に電気的に接続され、前記室内機からの信号を受信すると、その内容をそのまま変更せずにあるいは何らかの変更を加えて室外機に送信し、また前記室外機からの信号を受信すると、その信号の内容をそのまま変更せずにあるいは何らかの変更を加えて室内機に送信することを特徴とする空気調和機用データ交換装置。
【請求項２】
前記分離型空気調和機の室内機と室外機の間の通信情報を受信して、前記分離型空気調和機の運転状態や故障情報を表示手段に表示することを特徴とする請求項１に記載の空気調和機用データ交換装置。
【請求項３】
前記分離型空気調和機の室内機に接続された場合には擬似的に室外機として通信を行い、運転状態や故障情報を表示手段に表示し、室外機と接続された場合には擬似的に室内機として通信を行い、運転状態や故障情報を表示手段に表示することを特徴とする請求項１もしくは２に記載の空気調和機用データ交換装置。
【請求項４】
前記分離型空気調和機の室内機と室外機を接続する前記内外接続線に電気的に接続され、前記室内機または前記室外機の少なくとも一方が有するデータの一部または全部を書き換える機能を有することを特徴とする請求項１から３に記載の空気調和機用データ交換装置。
【請求項５】
前記分離型空気調和機の室内機に接続された場合には擬似的に室外機として通信を行い、運転状態や故障情報を表示手段に表示し、室外機と接続された場合には擬似的に室内機として通信を行い、前記室内機または前記室外機の少なくとも一方が有するデータの一部または全部を書き換える機能を有することを特徴とする請求項４記載の空気調和機用データ交換装置。
【発明の詳細な説明】
【技術分野】
【０００１】
本発明は分離型空気調和機（以下空気調和機）の運転状態や故障情報の表示や解析を行う装置に関するものである。
【背景技術】
【０００２】
従来、この種の空気調和機用の情報表示・解析を行うためには、室内機や室外機を分解してその内部に備えられている電子制御装置を露出させて、更にその電子制御装置に半田付け等の加工やコネクタへのリード線の接続、あるいは通信装置を介して電話回線への接続を行うことが必要であった（例えば、特許文献１参照）。
【０００３】
図８は、特許文献１に記載された従来の空気調和機用データ表示解析装置を示すものである。図８に示すように、電話回線を介して空気調和機が保持する情報を取り出す構成となっている。
【特許文献１】特開２００１−１４１２９０号公報
【発明の開示】
【発明が解決しようとする課題】
【０００４】
しかしながら、前記従来の構成では、一般家庭に設置されている空気調和機の運転状態のモニタや故障情報の抽出を行うために室内機や室外機の分解を行う必要があり、サービスを行う際の空気調和機を設置されている需要家の生活への影響や、サービス性の悪さが指摘されてきた。
【０００５】
本発明は、上記のような空気調和機の運転情報や故障情報の抽出を、室内機や室外機の分解を伴うことなく可能にすることを目的とするものである。
【課題を解決するための手段】
【０００６】
前記従来の課題を解決するために、本発明の空気調和機用データ交換装置は、分離型空気調和機の室内機と室外機を接続する内外接続線に電気的に接続され、前記室内機からの信号を受信すると、その内容をそのまま変更せずにあるいは何らかの変更を加えて室外機に送信し、また前記室外機からの信号を受信すると、その信号の内容をそのまま変更せずにあるいは何らかの変更を加えて室内機に送信することを特徴とするものである。
【０００７】
また、前記分離型空気調和機の室内機と室外機の間の通信情報を受信して、前記分離型空気調和機の運転状態や故障情報を表示手段に表示することを特徴とするものである。
【０００８】
また、前記分離型空気調和機の室内機に接続された場合には擬似的に室外機として通信を行い、運転状態や故障情報を表示手段に表示し、室外機と接続された場合には擬似的に室内機として通信を行い、運転状態や故障情報を表示手段に表示することを特徴とするものである。
【０００９】
また、前記分離型空気調和機の室内機と室外機を接続する前記内外接続線に電気的に接続され、前記室内機または前記室外機の少なくとも一方が有するデータの一部または全部を書き換える機能を有することを特徴とするものである。
【００１０】
また、前記分離型空気調和機の室内機に接続された場合には擬似的に室外機として通信を行い、運転状態や故障情報を表示手段に表示し、室外機と接続された場合には擬似的に室内機として通信を行い、前記室内機または前記室外機の少なくとも一方が有するデータ
の一部または全部を書き換える機能を有することを特徴とするものである。
【発明の効果】
【００１１】
本発明の空気調和機用データ交換装置は、室内機、室外機の分解を伴うことなく、空気調和機の運転情報や故障情報の抽出や、室内機あるいは室外機もしくはその両方の有するデータの書き換えを行うことを可能にするものである。これにより空気調和機のメンテナンスやサービスを実施する際の事前の故障情報や運転履歴情報の抽出を飛躍的に容易にすることが可能となる。
【発明を実施するための最良の形態】
【００１２】
第１の発明は分離型空気調和機の室内機と室外機を接続する内外接続線に電気的に接続され、前記室内機からの信号を受信すると、その内容をそのまま変更せずにあるいは何らかの変更を加えて室外機に送信し、また前記室外機からの信号を受信すると、その信号の内容をそのまま変更せずにあるいは何らかの変更を加えて室内機に送信することが可能となり、室内機や室外機の分解や半田付け作業を伴うことなく空気調和機の運転情報や故障情報を抽出することが可能となる。
【００１３】
第２の発明は、前記分離型空気調和機の室内機と室外機の間の通信情報を受信して、前記分離型空気調和機の運転状態や故障情報を表示手段に表示することを可能とするもので室内機や室外機の分解や半田付け作業を伴うことなく空気調和機の運転情報や故障情報を抽出することが可能となる。
【００１４】
第３の発明は、前記分離型空気調和機の室内機に接続された場合には擬似的に室外機として通信を行い、運転状態や故障情報を表示手段に表示し、室外機と接続された場合には擬似的に室内機として通信を行い、運転状態や故障情報を表示手段に表示することを可能とするもので、室内機や室外機の分解や半田付け作業を伴うことなく空気調和機の運転情報や故障情報を抽出することが可能となる。
【００１５】
第４の発明は、前記分離型空気調和機の室内機と室外機を接続する前記内外接続線に電気的に接続され、前記室内機または前記室外機の少なくとも一方が有するデータの一部または全部を書き換える機能を有するもので、室内機や室外機の分解や半田付け作業を伴うことなく空気調和機のデータを書き換えることを可能にするものである。
【００１６】
第５の発明は、前記分離型空気調和機の室内機に接続された場合には擬似的に室外機として通信を行い、運転状態や故障情報を表示手段に表示し、室外機と接続された場合には擬似的に室内機として通信を行い、前記室内機または前記室外機の少なくとも一方が有するデータの一部または全部を書き換えることを可能とするもので、室内機や室外機の分解や半田付け作業を伴うことなく空気調和機のデータを書き換えることを可能にするものである。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機用データ交換装置の構成図を示すものである。
【００１９】
図１において、空気調和機用データ交換装置１は演算制御手段２および室内機側通信手段３、室外機側通信手段４を備え、室内機側通信手段３および室内機接続線８を介して室内機５と接続され、室外機側通信手段４および室外機接続線９を介して室外機６と接続さ
れる構成となっている。また、室内機５および室外機６はリモコン装置７によって運転開始・停止や設定変更がなされる。空気調和機用データ交換装置１は室内機との通信状態を表示する室内機通信状態表示手段１０および室外機通信状態表示手段１１を備え、室内機５および室外機６との通信状態を確認できるようになっている。
【００２０】
以上のように構成された空気調和機用データ交換装置について、以下その動作、作用を説明する。
【００２１】
まず、空気調和機に電源が投入され、リモコン装置７から運転開始の信号が送信されると、室内機５は室外機６に電源の供給を開始する。室内外機に電源が供給されると、室内機５もしくは室外機６から通信が開始される。ここでは仮に室外機６から通信が開始されると仮定して説明を進める。空気調和機用データ交換装置１が接続されていない状態では、室外機６が通信を開始すると、その信号内外接続線によって直接接続されている室内機５に送信される。室内機５はその信号を受けて必要な信号を返送し室内外機間の通信が成立することにより、運転が開始される。
【００２２】
空気調和機用データ交換装置１が接続されている状態では、室外機６は室内機５に対して信号を送信するが、その信号は直接室内機５には到達せず、一旦空気調和機用データ交換装置１が受信する。空気調和機用データ交換装置１は受信した信号をそのまま、もしくは何らかの変更を加えて室内機５に送信し、室内機５はその信号をあたかも室外機６から送信されてきたものとして受信し運転を開始する。室内機５および室外機６と空気調和機用データ交換装置１との通信状態は、室内機通信状態表示手段１０および室外機通信表示手段１１によって表示され、目視によって通信状態を確認することができる。
【００２３】
以上のように、本実施の形態においては空気調和機の室内機５と室外機６の間の通信が何らかの原因で成立しないという不具合が発生した場合には、空気調和機用データ交換装置１を室内機５と室外機６の間に接続し、室内機通信状態表示手段１０および室外機通信状態表示手段１１の表示によって、室内機５側の通信に異常があるのか室外機６に異常があるのかを室内外機の分解作業を伴うことなく目視によって特定することが可能となる。
【００２４】
（実施の形態２）
図２は、本発明の第２の実施の形態の空気調和機用データ交換装置の構成を表す図である。
空気調和機用データ交換装置１には表示手段１２が接続され、空気調和機用データ交換装置１を介して室内機５と室外機６の間でやり取りされる通信の内容を表示できる構成となっている。表示手段１２には、室内外機の間でやり取りされる通信の情報表示のほかに、表示手段１２からあらかじめ決められたコマンドを送信することにより、室内機５もしくは室外機６が保持している特定の情報、たとえば過去の故障情報や運転履歴情報等を取り出すことも可能である。
【００２５】
これにより、室内外機の分解作業や半田付け作業を伴うことなく室内外機の運転状態や運転履歴、故障情報を空気調和機より取り出し表示手段１２への表示が可能となる。
【００２６】
（実施の形態３）
図３は本発明の第３の実施の形態の空気調和機用データ交換装置が構成するシステムの概念図で、室内機５と空気調和機用データ交換装置１が接続されている状態を表す。
【００２７】
空気調和機用データ交換装置１には室内機５が室内機接続線８と室内機側通信手段３を介して接続されているが、室外機側通信手段４には室外機は接続されていない。この状態では空気調和機用データ交換手段１は、あたかも室外機として室内機５と通信を行い、情
報のやり取りを行う。また表示手段１２が接続されている場合には室内機５との通信内容を表示手段１２に表示したり、あらかじめ決められたコマンドを表示手段１２から送信して室内機５が保持する特定の情報を取り出して表示することが可能となる。
【００２８】
図４は本発明の第３の実施の形態の空気調和機用データ交換装置が構成するシステムの概念図で、室外機６と空気調和機用データ交換装置１が接続されている状態を表す図である。
室外機６と接続されている場合には、空気調和機用データ交換装置１はあたかも室内機として室外機６と通信を行い、情報のやり取りや特定の情報の取り出しを行うことが可能となる。
【００２９】
これにより、室内機もしくは室外機が単独である場合でも、それらの分解作業や半田付け作業を伴うことなく室内機もしくは室外機から故障情報や運転履歴等の情報を取り出すことが可能となる。
【００３０】
（実施の形態４）
図５は本発明の第４の実施の形態の空気調和機用データ交換装置が構成するシステムの概念図である。
【００３１】
図５において空気調和機用データ交換装置１は演算制御手段２に接続されたデータ保持手段１３を有し、データ保持手段１３に保存されたデータは、室内機が選択されている場合には、演算制御手段２および室内機側通信手段３および室内機接続線８を介して室内機５に送信され保存される。また、室外機が選択されている場合には演算制御手段２および室外機側通信手段４および室外機接続線９を介して室外機６に送信され保存される。また室内外機の両方が選択されている場合には、順次演算制御手段２からそれぞれの通信手段３および４を介してデータが送信され、室内外機に保存される。
【００３２】
これにより、メンテナンスやサービス等の目的のために、室内機や室外機の分解作業や半田付け作業を伴うことなく、空気調和機の室内外機が保持するデータの書き換えや更新を行うことが可能となる。
【００３３】
図６は本発明の第５の実施の形態の空気調和機用データ交換装置が構成するシステムの概念図で、室内機５と空気調和機用データ交換装置１が接続されている状態を表す図である。
【００３４】
空気調和機用データ交換装置１には室内機５が室内機接続線８と室内機側通信手段３を介して接続されているが、室外機側通信手段４には室外機は接続されていない。この状態では空気調和機用データ交換手段１は、あたかも室外機として室内機５と通信を行い、データ保持手段１３に保存されたデータが室内機５に送信され保存される。
【００３５】
図７は本発明の第５の実施の形態の空気調和機用データ交換装置が構成するシステムの概念図で、室外機６と空気調和機用データ交換装置１が接続されている状態を表す図である。
【００３６】
室外機６と接続されている場合には、空気調和機用データ交換装置１はあたかも室内機として室外機６と通信を行い、データ保持手段１３に保存されたデータが室外機６に送信され保存される。情報のやり取りや特定の情報の取り出しを行うことが可能となる。
【００３７】
これにより、室内機もしくは室外機が単独である場合でも、それらの分解作業や半田付け作業を伴うことなく室内機もしくは室外機のデータの書き換えや更新が可能となる。
【産業上の利用可能性】
【００３８】
以上のように、本発明にかかる空気調和機用データ交換装置は、空気調和機の室内機や室外機の分解や半田付け等の作業を伴うことなく、空気調和機の運転状態や運転履歴、故障情報等の情報を抽出することが可能となる。
【図面の簡単な説明】
【００３９】
【図１】本発明の実施の形態１における空気調和機データ交換装置の構成図
【図２】本発明の実施の形態２における空気調和機データ交換装置の構成図
【図３】本発明の実施の形態３における空気調和機データ交換装置の第１の構成図
【図４】本発明の実施の形態３における空気調和機データ交換装置の第２の構成図
【図５】本発明の実施の形態４における空気調和機データ交換装置の構成図
【図６】本発明の実施の形態５における空気調和機データ交換装置の第１の構成図
【図７】本発明の実施の形態５における空気調和機データ交換装置の第２の構成図
【図８】従来の空気調和機から情報抽出を行う装置の構成図
【符号の説明】
【００４０】
１  空気調和機用データ交換装置
２  演算制御手段
３  室内機側通信手段
４  室外機側通信手段
５  室内機
６  室外機
７  リモコン装置
８  室内機接続線
９  室外機接続線
１０  室内機通信状態表示手段
１１  室外機通信状態表示手段
１２  表示手段
１３  データ保持手段
【図１】
2006138518.tif 000003
【図２】
2006138518.tif 000004
【図３】
2006138518.tif 000005
【図４】
2006138518.tif 000006
【図５】
2006138518.tif 000007
【図６】
2006138518.tif 000008
【図７】
2006138518.tif 000009
【図８】
2006138518.tif 000010